(57)【要約】【課題】ブラウザの起動時の初期画面に表示されるサイト情報を、固定的な情報の表示内容ではなく、利用者の趣味や好みに即して動的に選択することにより、利用者にとって興味深いサイト情報を表示させることにある。【解決手段】本発明は、利用者の端末から利用者識別情報を受信する手段と利用者毎の表示情報を格納した利用者表示情報から、前記利用者識別情報に基づいて利用者の表示情報を選択する選択手段と前記選択された表示情報を前記利用者の端末へ送信する送信手段とを備えることで上記課題を解決するものである。【選択図】        図１
2004258741.tif 000002
【特許請求の範囲】
【請求項１】
利用者の端末から利用者識別情報を受信する手段と、
利用者毎の表示情報を格納した利用者表示情報から、前記利用者識別情報に基づいて利用者の表示情報を選択する選択手段と、
前記選択された表示情報を前記利用者の端末へ送信する送信手段と、
を備えることを特徴とするサイト情報提供装置。
【請求項２】
前記表示情報は利用者が過去にサイトのアクセスを行ったアクセス履歴であり、前記選択手段は、該アクセス履歴のうち最もアクセスした頻度が高いサイトを選択することを特徴とする請求項１記載のサイト情報提供装置。
【請求項３】
各サイトのジャンル情報を登録するサイトジャンル情報登録手段を備え、
前記表示情報は利用者が予め設定した好みのジャンルであり、前記選択手段は、該利用者の好みのジャンルに属するサイトを前記サイトジャンル情報から選択することを特徴とする請求項１記載のサイト情報提供装置。
【発明の詳細な説明】
【０００１】
【発明の属する技術分野】
本発明は、利用者の端末でブラウザ起動時に表示されるサイト情報の提供方法に関する。
【０００２】
【従来の技術】
昨今、インターネットを利用して様々な情報を閲覧することが可能となっている。利用者は、インターネットを利用する場合、端末にインストールされたブラウザを起動し、ネットワークへの接続を行うことで、様々なサイトを閲覧することができる。ブラウザを起動してネットワークに接続した際に、ブラウザの初期画面に表示されるサイトは、予めブラウザに設定されているＵＲＬを基に表示され、当該初期画面が表示された後、利用者は所望の情報を閲覧するために当該初期画面のサイトからリンクを辿ったり、検索サイトに移動しキーワード検索を行ったりしていた。
【０００３】
また、利用者がブラウジングする際、利用者の個人識別情報から、予め設定しておいた利用者の希望表示方法情報を参照し、利用者が希望する表示方法に編集して表示する発明が開示されていた（例えば、特許文献１参照）。
【０００４】
【特許文献１】
特開２００２−１４８９５号公報
【０００５】
【発明が解決しようとする課題】
しかしながら、いずれの従来技術においても、利用者の趣味趣向を動的に反映するものではなく、固定的な情報の表示を行うものであった。
【０００６】
本発明の課題は、上述したような従来技術をかえりみたものであり、ブラウザの起動時の初期画面に表示されるサイト情報を、利用者の趣味や好みに即して選択を行うことで、利用者にとって興味深いサイト情報を表示させることにある。
【０００７】
【課題を解決するための手段】
本発明は、利用者の端末から利用者識別情報を受信する手段と利用者毎の表示情報を格納した利用者表示情報から、前記利用者識別情報に基づいて利用者の表示情報を選択する選択手段と前記選択された表示情報を前記利用者の端末へ送信する送信手段とを備えることで上記課題を解決するものである。
【０００８】
【発明の実施の形態】
本発明の、第一の実施例の形態に係るシステム概要を、図１を用いて説明する。
【０００９】
図１で示すセンター１０１は、利用者端末１０９からのアクセス要求により、利用者毎の表示情報を格納した利用者表示情報であるアクセス履歴情報ＤＢ１０３から、当該利用者の趣味趣向に基づいた表示情報を選択し、当該選択した表示情報をアクセス要求元の端末１０９へ送信する機能を有するものである。
【００１０】
なお、当センター１０１は、インターネットサービスプロバイダであっても良いし、インターネットサービスプロバイダ以外の情報提供サービスを行う情報提供企業であっても良い。
【００１１】
センター１０１には、当センターの利用者の情報を記憶手段に記憶した利用者情報テーブル１０２と、利用者毎のアクセス履歴を記憶したアクセス履歴ＤＢ１０３とを設け、利用者からのインターネットの接続要求を受信し、当該利用者の認証処理を行う利用者認証プログラム１０４と、利用者の趣味趣向、つまり好みに応じたサイトを選択する表示サイト選択プログラム１０５と、複数のサイト情報を編集し、一覧を作成するサイト一覧編集プログラム１０６と、利用者のサイトのアクセス履歴を格納するアクセス履歴更新プログラム１０７とを備える。
【００１２】
上記これらのプログラムは、センター１０１の外部記憶装置に格納されており、各プログラム実行時には内部記憶装置に読み出され、必要に応じて利用者情報テーブル１０２やアクセス履歴情報ＤＢ１０３の参照、更新を行い、さらにはネットワーク１０８を介して利用者の端末１０９と情報の受送信を行う。
【００１３】
次に図１で説明したシステム概要を踏まえ、図２を用いて本発明の、第一の実施例の形態に係るファイル構造の説明をする。
【００１４】
図２に示す利用者情報テーブル２０１は、センター１０１を利用する利用者毎の情報を記録したテーブルである。
【００１５】
利用者情報テーブル２０１には、利用者の識別情報である利用者ＩＤと利用者パスワードとが格納されており、さらに利用者の氏名を保持している。
【００１６】
利用者情報テーブル２０１に格納されている利用者ＩＤとパスワードは、利用者の認証を行うために必要となる情報であり、センター１０１が認証の許可を行うことで当該利用者の端末１０９はネットワークに接続される。
【００１７】
なお、利用者情報テーブル２０１に格納される情報は、利用者自身がセンター１０１へアクセスを行い、端末１０９の画面に表示された所定のＨＴＭＬ（Ｈｙｐｅｒ  Ｔｅｘｔ  Ｍａｒｋｕｐ  Ｌａｎｇｕａｇｅ）から登録したものでも良いし、センター１０１の管理者が利用者からの依頼を受けて登録したものでも良い。
【００１８】
図２に示すアクセス履歴情報ＤＢ２０２は、上述した利用者情報テーブル２０１に登録された利用者毎のアクセス履歴の情報を記録した利用者表示情報である。
【００１９】
アクセス履歴とは、利用者が過去に閲覧したサイトの表示情報であり、アクセス履歴情報ＤＢ２０２には、利用者ＩＤと、利用者が表示したサイトのＵＲＬ（Ｕｎｉｆｏｒｍ  Ｒｅｓｏｕｒｃｅ  Ｌｏｃａｔｏｒ）と、当該ＵＲＬを参照した参照回数と、当該ＵＲＬにアクセスを行った最終日時とが格納されている。
【００２０】
次に図１で説明した処理概要と図２で説明したファイル構造とを踏まえ、本発明の、第一の実施例の形態に係る処理フローを、図３を用いて説明する。
【００２１】
センター１０１は、利用者の端末１０９からネットワーク１０８を介してアクセス要求を受信する（Ｓ３０１）。
【００２２】
これは、例えば利用者がインターネットを利用するためにブラウザを起動した際、予め設定されたプロバイダへ接続するためのアクセス要求である。
【００２３】
次に、端末１０９から利用者によって入力された当該利用者認証情報を受信し、当該利用者の認証処理を行う（Ｓ３０２）。
【００２４】
認証処理Ｓ３０２は、利用者の端末１０９から受信した利用者ＩＤとパスワードを基に、予め登録された利用者情報である利用者情報テーブル２０１と比較し、当該利用者の認証を行う。
【００２５】
利用者の認証処理の結果、認証情報が一致した場合、つまり認証が許可された場合、次のステップＳ３０４を行い、認証情報が一致しなかった場合、つまり認証が許可されなかった場合には以後の処理を行わず終了する。
【００２６】
ステップＳ３０４では、利用者の認証が許可されたことにより、利用者に関する表示情報であるアクセス履歴情報ＤＢ２０２を参照し、上述したステップＳ３０２で受信した利用者ＩＤを基に、当該利用者のアクセス履歴情報の検索、および抽出を行う（Ｓ３０４）。
【００２７】
例えば、利用者ＩＤが「００１」の鈴木和夫の場合であれば、アクセス履歴情報ＤＢ２０１に格納されたアクセス履歴情報のうち、利用者ＩＤが「００１」である４つのアクセス履歴情報について抽出を行う。
【００２８】
この４つのアクセス履歴情報は、利用者が過去にアクセスを行ったサイトの情報を保有している。
【００２９】
次に、センター１０１は、ステップＳ３０４で抽出した利用者のアクセス履歴情報を基に、利用者の端末画面上に表示するサイト情報の選択／編集を行う（Ｓ３０５）。
【００３０】
表示サイト選択／編集における処理フローを、図４を用いて説明する。
【００３１】
図４に示す処理フローは、図３に示すステップＳ３０５の詳細な説明を記載したものである。
【００３２】
なお、ステップのＳ４０１、Ｓ４０２、Ｓ４０４についてはそれぞれ独立した異なる選択／編集処理であって、便宜上、図４においては一つの処理フローにて記載をしているが、少なくともこのうちいずれかの１つを採用することで、本発明の、第一の実施例の形態を示すものである。
【００３３】
ステップＳ４０１は第一の表示サイト選択／編集処理であり、図３に示すＳ３０４にて抽出された特定の利用者のアクセス履歴情報のなかで、最もアクセス率の高い、つまり最もアクセスした頻度の高い表示情報を選択する。
【００３４】
具体的には、利用者ＩＤが「００１」の鈴木和夫の場合、図２に示すアクセス履歴情報ＤＢに格納された４つのアクセス履歴情報のうち、参照回数が最も多い「７５」であるアクセス履歴情報に格納されたサイト情報、つまりＵＲＬを選択する。
【００３５】
ステップＳ４０１により、表示するサイト情報が選択されると、図３に示すステップＳ３０６にて、当該選択されたサイト情報、具体的にはＵＲＬを、利用者が端末１０９でブラウザを起動した際に表示される初期画面のＵＲＬとするために当該端末１０９へ送信する。
【００３６】
次に、ステップＳ４０２の説明をする。
【００３７】
ステップＳ４０２と後続のステップＳ４０３は第二の表示サイト選択／編集処理であり、ステップＳ４０２は、ステップＳ４０１と同様に、図３に示すＳ３０４にて抽出された特定の利用者のアクセス履歴情報のなかで、アクセス率の上位複数の表示情報、つまりアクセスした頻度が高い複数のサイト情報を選択する。
【００３８】
具体的には、図２に示すアクセス履歴情報ＤＢ２０２に格納された利用者ＩＤ「００１」のアクセス履歴情報のうち、例えばアクセス率が上位３つアクセス履歴情報、つまり参照回数が多い「７５」、「６０」、「４０」のサイト情報を選択する。
【００３９】
上述した選択するアクセス履歴情報の数は、予めセンター１０１のシステムで決められているものであり、その値は任意に設定することが可能とする。
【００４０】
次にステップＳ４０３は、ステップＳ４０２で選択されたサイト情報を、予めセンター１０１内に登録してあるＨＴＭＬファイルのテンプレートに挿入することで、アクセス率上位サイトの一覧を編集する。
【００４１】
センター１０１内に自動生成されたサイト一覧は、例えば図６の６０１に示すような一覧である。
【００４２】
ステップＳ４０３により、サイト一覧が生成されると、図３に示すステップＳ３０６にて、当該生成したサイト一覧のサイト情報、具体的にはＵＲＬを、利用者が端末１０９でブラウザを起動した際に表示される初期画面のＵＲＬとするために当該端末１０９へ送信する。
【００４３】
なお、図４では記載していないが、アクセス率の上位サイトを複数選択する際、アクセス履歴情報ＤＢ２０２に格納されているアクセス履歴情報が、予め任意に設定された個数、上述した説明では３つに満たない場合は、満たない数のサイト情報で一覧を作成し、さらに１つしか格納されたアクセス履歴情報がない場合には、一覧を作成せずに当該アクセス履歴情報であるサイト情報つまりＵＲＬをステップＳ３０６にて利用者の端末１０９へ送信する。
【００４４】
ステップＳ４０４は第三の表示サイト選択／編集処理であり、図３に示すＳ３０４にて抽出された利用者のアクセス履歴情報のなかで、アクセス率が上位の表示情報、つまりアクセスした頻度が高い複数のサイト情報を選択し、さらにその中からランダムに１つの表示情報を選択する。
【００４５】
ステップＳ４０４により、表示するサイト情報が選択されると、図３に示すステップＳ３０６にて、当該選択されたサイト情報、具体的にはＵＲＬを、利用者が端末１０９でブラウザを起動した際に表示される初期画面のＵＲＬとするために当該端末１０９へ送信する。
【００４６】
なお、上述した第一から第三までの表示サイト選択／編集処理を行うにあたり、いずれも参照回数を条件として選択するサイト情報を決定するが、この選択条件に、アクセス履歴情報ＤＢに格納された最終アクセス日時をさらに追加しても良い。
【００４７】
つまり、最終アクセス日時に記録された日時が、例えば現在日付から１４日間以内のアクセス履歴情報のうち、参照回数が最も多かったものを選択するようにしても良い。
【００４８】
参照回数よりも最終アクセス日時を選択の上位条件にすることにより、利用者に対して、よりタイムリーなサイト情報を提供することが可能となる。
【００４９】
なお、最終アクセス日時を選択条件とする場合は、Ｓ４０１、Ｓ４０２、Ｓ４０４のそれぞれのステップにおいて最終アクセス日時の条件の考慮を行えば良く、過去何日以内のアクセス履歴情報とするかは、センター１０１のシステムで予め任意に決めておけば良い。
【００５０】
次に図２で説明したアクセス履歴情報ＤＢの更新について、本発明の、第一の実施例の形態に係る処理フローを、図５を用いて説明する。
【００５１】
利用者は、端末１０９から自らの操作によって端末画面上に所望するサイトを表示するため、当該サイトへアクセスを行う。
【００５２】
センター１０１は、利用者の端末１０９からサイトへのアクセスが行われたことを検知し、アクセスの検知と同時にアクセスを継続している時間を監視する（Ｓ５０１）。
【００５３】
例えば、センター１０１内で管理されるアクセスログなどを参照することで利用者のサイトへのアクセスを検知する。
【００５４】
センター１０１は、利用者が特定のサイトに一定時間の間のアクセスを継続して行っていたか否かを判断する（Ｓ５０２）。
【００５５】
サイトへのアクセスを継続して行っていない場合は、以後の処理を行わず終了する。
【００５６】
一定時間の間特定のサイトにアクセスしていた場合は、センター１０１は、利用者が当該サイトに興味があると判断し、当該サイト情報がアクセス履歴情報ＤＢ２０２に登録済みであるか否かを判断する（Ｓ５０３）。
【００５７】
既に登録済みである場合は、センター１０１は、アクセス履歴情報ＤＢ２０２に登録されている当該サイト情報に該当する参照回数をカウントアップする（Ｓ５０４）。
【００５８】
登録がされていない場合は、センター１０１は、当該サイト情報を基にアクセス履歴情報を追加する（Ｓ５０５）。
【００５９】
次に、ステップＳ５０４、ステップＳ５０５の処理が終了すると、当該サイトへのアクセスを行った日付で、アクセス履歴情報ＤＢ２０２の最終アクセス日時を更新する（Ｓ５０６）。
【００６０】
このように、利用者が端末からブラウザを起動した際に表示される初期画面のサイト情報を、当該利用者の表示情報である過去のアクセス履歴を基に選択し、ブラウザの起動毎に動的に変化させることにより、当該利用者の興味を的確に反映したサイト情報をブライザの初期画面として表示することが可能となる。
【００６１】
次に、本発明の、第二の実施例の形態に係るシステム概要を、図７を用いて説明する。
【００６２】
図７で示すセンター７０１は、利用者からのアクセス要求により、利用者毎の表示情報を格納した利用者表示情報である利用者情報テーブル７０２を基に、当該利用者の趣味趣向に基づいた表示情報を選択し、当該選択した表示情報をアクセス要求元の端末へ送信する機能を有するものである。
【００６３】
なお、当センター７０１は、インターネットサービスプロバイダであっても良いし、インターネットサービスプロバイダ以外の情報提供サービスを行う情報提供企業であっても良い。
【００６４】
センター７０１には、当センターの利用者の情報と、当該利用者の表示情報である利用者ジャンル情報とを記憶手段に記憶した利用者情報テーブル７０２と、各サイトのジャンル情報を記憶手段に記憶したジャンル情報テーブル７０３と、を設け、利用者からのインターネットの接続要求を受信し、当該利用者の認証処理を行う利用者認証プログラム７０４と、利用者の趣味趣向、つまり好みに応じたサイトを選択する表示サイト選択プログラム７０５と、複数のサイト情報を編集し、一覧を作成するサイト一覧編集プログラム７０６と、サイト提供者７１０がジャンル情報テーブル８０２にサイトジャンル情報を登録および更新するジャンル情報登録プログラム７０７とを備える。
【００６５】
上記これらのプログラムは、センター７０１の外部記憶装置に格納されており、各プログラム実行時には内部記憶装置に読み出され、必要に応じて利用者情報テーブル７０２やジャンル情報テーブル７０３の参照、更新を行い、さらにはネットワーク７０８を介して利用者の端末７０９やサイト提供者７１０と情報の受送信を行う。
【００６６】
次に図７で説明したシステム概要を踏まえ、図８を用いて本発明の、第二の実施例の形態に係るファイル構造の説明をする。
【００６７】
図８に示す利用者情報テーブル８０１は、センター７０１を利用する利用者毎の情報と当該利用者の表示情報である利用者ジャンル情報とを記録したテーブルである。
【００６８】
利用者情報テーブル８０１には、利用者の識別情報である利用者ＩＤと利用者パスワードと利用者の氏名とを保持しており、さらに利用者ジャンル情報を保持している。
【００６９】
利用者情報テーブル８０１に格納されている利用者ＩＤとパスワードは、利用者の認証を行うために必要となる情報であり、センター７０１が認証の許可を行うことで当該利用者の端末７０９はネットワークに接続される。
【００７０】
利用者ジャンル情報は、利用者の趣味や現在興味を持っている事柄などといった利用者の好みのジャンル情報であり、利用者端末の画面上に表示させる表示内容を示すジャンルの情報を格納したものである。
【００７１】
なお、利用者情報テーブル８０１に格納される情報は、利用者自身がセンター７０１へアクセスを行い、端末７０９の画面に表示された所定のＨＴＭＬ（Ｈｙｐｅｒ  Ｔｅｘｔ  Ｍａｒｋｕｐ  Ｌａｎｇｕａｇｅ）から登録したものでも良いし、センター７０１の管理者が利用者からの依頼を受けて登録したものでも良い。
【００７２】
図８に示すジャンル情報テーブル８０２は、サイト提供者７１０が登録するサイトのジャンル情報であり、サイトのＵＲＬや当該ＵＲＬの名称であるサイト情報を登録するとともに、そのサイト情報が属するサイトジャンル情報を登録する。
【００７３】
なお、シーケンス番号（ＳＥＱ）は、同一のジャンルに属するサイト情報に対して自動的に付与される連番である、
ジャンル情報テーブル８０２に格納される情報は、サイト提供者７１０がセンター７０１へアクセスを行い、所定のＨＴＭＬ（Ｈｙｐｅｒ  Ｔｅｘｔ  Ｍａｒｋｕｐ  Ｌａｎｇｕａｇｅ）から登録したものでも良いし、センター７０１の管理者がサイト提供者７１０からの依頼を受けて登録したものでも良い。
【００７４】
次に図７で説明した処理概要と図８で説明したファイル構造とを踏まえ、本発明の、第二の実施例の形態に係る処理フローを、図９を用いて説明する。
【００７５】
センター７０１は、利用者の端末７０９からネットワーク７０８を介してアクセス要求を受信する（Ｓ９０１）。
【００７６】
次に、例えば端末７０９から利用者によって入力された当該利用者認証情報を受信し、当該利用者の認証処理を行う（Ｓ９０２）。
【００７７】
認証処理Ｓ９０２は、利用者の端末７０９から受信した利用者ＩＤとパスワードを基に、予め登録された利用者情報である利用者情報テーブル８０１と比較し、当該利用者の認証を行う。
【００７８】
利用者の認証処理の結果、認証情報が一致した場合、つまり認証が許可された場合、次のステップＳ９０４を行い、認証情報が一致しなかった場合、つまり認証が許可されなかった場合には以後の処理を行わず終了する。
【００７９】
ステップＳ９０４では、利用者の認証が許可されたことにより、利用者情報テーブル８０１に格納された、当該利用者に関する表示情報である利用者ジャンル情報を抽出する（Ｓ９０４）。
【００８０】
次に、センター７０１は、抽出した利用者ジャンル情報を基に、ジャンル情報テーブル８０２を参照し、利用者ジャンル情報に該当する同一のジャンルグループを検索、抽出する（Ｓ９０５）。
【００８１】
ここでは、ジャンル情報テーブル８０２に格納された同一のジャンルであるサイト情報の一群を同一のジャンルグループと呼ぶ。
【００８２】
つまり、例えば図８に示すジャンル情報テーブル８０２のうち、ジャンルが「スポーツ」である３つのサイト情報群が同一のジャンルグループである。
【００８３】
次に、センター７０１は、ステップＳ３０４で抽出した利用者の表示情報に関するジャンルグループを基に、利用者の端末画面上に表示するサイト情報の選択／編集を行う（Ｓ９０６）。
【００８４】
表示サイト選択／編集における処理フローを、図１０を用いて説明する。
【００８５】
図１０に示す処理フローは、図９に示すステップＳ９０６の詳細な説明を記載したものである。
【００８６】
なお、ステップのＳ１００１、Ｓ１００２についてはそれぞれ独立した異なる選択／編集処理であって、便宜上、図１０においては一つの処理フローにて記載をしているが、少なくともこのうちいずれかの１つを採用することで、本発明の、第二の実施例の形態を示すものである。
【００８７】
ステップＳ１００１は、第一の表示サイト選択／編集処理であり、図９に示すＳ９０５にて抽出された特定の利用者に関係するジャンルグループのサイト情報の一覧を作成する。
【００８８】
具体的には、図８に示すジャンル情報テーブル８０２に格納された利用者に関係するジャンルグループの各サイト情報を、予めテンプレートとしてセンター７０１内に登録してあるＨＴＭＬファイルに挿入することで、利用者が好むジャンルのサイト一覧を編集する。
【００８９】
センター７０１内に自動生成されたサイト一覧は、例えば図１１の１１０１に示すような一覧である。
【００９０】
ステップＳ１００１により、サイト一覧が生成されると、図９に示すステップＳ９０７にて、当該生成したサイト一覧のサイト情報、具体的にはＵＲＬを、利用者が端末７０９でブラウザを起動した際に表示される初期画面のＵＲＬとするために当該端末７０９へ送信する。
【００９１】
なお、図１０では記載していないが、抽出したジャンルグループ中に対象となるサイト情報が１つしかない場合、つまりジャンル情報テーブル８０２に格納されている同一ジャンルのサイト情報が複数ない場合には、一覧を作成せずに当該サイト情報をステップＳ９０７にて利用者の端末７０９へ送信する。
【００９２】
ステップＳ１００２は第二の表示サイト選択／編集処理であり、図９に示すＳ９０５にて抽出された特定の利用者に関係するジャンルグループのサイト情報の中からランダムに１つのサイト情報を選択する。
【００９３】
センター７０１によってランダムに選択されると、図９に示すステップＳ９０７にて、当該選択されたサイト情報、具体的にはＵＲＬを、利用者が端末７０９でブラウザを起動した際に表示される初期画面のＵＲＬとするために当該端末７０９へ送信する。
【００９４】
このように、利用者が端末からブラウザを起動した際に表示される初期画面のサイト情報を、当該利用者の表示情報である利用者ジャンル情報を基に選択し、ブラウザの起動毎に、当該利用者の興味を的確に反映したサイト情報をブラウザの初期画面として表示することが可能となる。
【００９５】
さらに、サイト提供者は、自らが提供するサイト情報をジャンル情報と共に設定することで、提供するサイトに興味や関心を持つ利用者の端末へ自動表示が可能となるため、効率的な宣伝効果を奏することとなる。
（付記１）
利用者の端末から利用者識別情報を受信する手段と、
利用者毎の表示情報を格納した利用者表示情報から、前記利用者識別情報に基づいて利用者の表示情報を選択する選択手段と、
前記選択された表示情報を前記利用者の端末へ送信する送信手段と、
を備えることを特徴とするサイト情報提供装置。
（付記２）
前記表示情報は利用者が過去にサイトのアクセスを行ったアクセス履歴であり、前記選択手段は、該アクセス履歴のうち最もアクセスした頻度が高いサイトを選択することを特徴とする付記１記載のサイト情報提供装置。
（付記３）
各サイトのジャンル情報を登録するサイトジャンル情報登録手段を備え、
前記表示情報は利用者が予め設定した好みのジャンルであり、前記選択手段は、該利用者の好みのジャンルに属するサイトを前記サイトジャンル情報から選択することを特徴とする付記１記載のサイト情報提供装置。
（付記４）
前記選択手段は、前記アクセス履歴のうちアクセスした頻度が高い、上位複数のサイトを選択し、該選択した複数のサイトの一覧を編集する手段を備え、
前記送信手段は、前記編集したサイト一覧のサイト情報を送信することを特徴とする付記２記載のサイト情報提供装置。
（付記５）
前記選択手段は、前記サイトジャンル情報から前記利用者の好みのジャンルに属する複数のサイトを選択し、該選択した複数のサイトの一覧を編集する手段を備え、
前記送信手段は、前記編集したサイト一覧のサイト情報を送信することを特徴とする付記３記載のサイト情報提供装置。
（付記６）
利用者の端末から利用者識別情報を受信するステップと、
前記利用者毎の表示内容を格納した表示情報から、前記利用者識別情報に基づいて利用者の表示情報を選択する選択ステップと、
前記選択された表示情報を前記利用者の端末へ送信する送信ステップと、
を備えることを特徴とするサイト情報提供方法。
【００９６】
【発明の効果】
上記の構成を適用することにより、利用者がブラウザを起動した際に表示されるサイト情報を、利用者の興味や関心を引くサイト情報に動的に変更して表示することが可能となり、利用者は無駄なオペレーションをすることなく、所望するサイトを閲覧することが可能となる効果を奏する。
【００９７】
また、サイト提供者は、提供するサイトに興味や関心を持つ利用者の端末へ自動表示が可能となるため、効率的な宣伝効果を奏する。
【図面の簡単な説明】
【図１】本発明のシステム概要図（実施例１）である。
【図２】利用者情報テーブル（実施例１）、アクセス履歴情報ＤＢ（実施例１）の一例を示す図である。
【図３】メイン処理の流れ（実施例１）を示すフローチャートである。
【図４】表示サイト選択／編集処理（実施例１）を示すフローチャートである。
【図５】アクセス履歴情報ＤＢの更新処理（実施例１）を示すフローチャートである。
【図６】利用者の端末に表示されたサイト一覧情報（実施例１）の一例を示す図である。
【図７】本発明のシステム概要図（実施例２）である。
【図８】利用者情報テーブル（実施例２）、ジャンル情報テーブル（実施例１）の一例を示す図である。
【図９】メイン処理の流れ（実施例２）を示すフローチャートである。
【図１０】表示サイト選択／編集処理（実施例２）を示すフローチャートである。
【図１１】利用者の端末に表示されたサイト一覧情報（実施例２）の一例を示す図である。
【符号の説明】
１０１    センター
１０２    利用者情報テーブル
１０３    アクセス履歴情報テーブル
１０４    利用者認証プログラム
１０５    表示サイト選択プログラム
１０６    サイト一覧編集プログラム
１０７    アクセス履歴情報更新プログラム
１０８    ネットワーク
１０９    利用者端末
【図１】
2004258741.tif 000003
【図２】
2004258741.tif 000004
【図３】
2004258741.tif 000005
【図４】
2004258741.tif 000006
【図５】
2004258741.tif 000007
【図６】
2004258741.tif 000008
【図７】
2004258741.tif 000009
【図８】
2004258741.tif 000010
【図９】
2004258741.tif 000011
【図１０】
2004258741.tif 000012
【図１１】
2004258741.tif 000013